(57)【要約】【課題】文化財の研究者が調査で得た各種データを統合して管理できるアーカイブ方法を提供する。【解決手段】特定の文化財に関するデータは、インターネット２上に分散して配置された複数のデータベース７に保管されている。データベース７はインターネット２に接続された複数のデータサーバ６によってそれぞれ制御され、リレーショナルデータベースである空間情報データベース４は、ネットワーク２に接続された情報管理サーバ３によって制御される。空間情報データベース４の各レイヤーには、各データベース７に接続されたデータサーバ６のアドレスと、各データベース７における特定の文化財に関するデータの保管場所を示すデータが格納され、かつ各レイヤーに格納されたデータは、空間上の位置を示す位置情報をキーとして相互に関連付けられている。【選択図】図１
2014096084.tif 000002
【特許請求の範囲】
【請求項１】
複数のデータベースに保管された特定の文化財に関するデータをリレーショナルデータベースに保管されたデータにより統合して管理する文化財データのアーカイブ方法であって、
前記複数のデータベースは、ネットワークに接続された複数のデータサーバによってそれぞれ制御され、かつ前記リレーショナルデータベースは、前記ネットワークに接続された情報管理サーバによって制御され、
前記リレーショナルデータベースの各レイヤーには、前記各データベースに接続されたデータサーバのアドレスと、前記各データベースにおける特定の文化財に関するデータの保管場所を示すデータが格納され、
かつ前記各レイヤーに格納されたデータは、空間上の位置を示す位置情報をキーとして相互に関連付けられていることを特徴とする文化財データのアーカイブ方法。
【請求項２】
前記レイヤー毎のデータを関連付ける手段として、レイヤー毎に設定された、少なくとも１つのパッチを用いることを特徴とする、請求項１に記載の文化財データのアーカイブ方法。
【請求項３】
前記情報管理サーバには、前記リレーショナルデータベースに対するデータの書き込みおよび読み出しを制御するリレーショナルデータベースマネージメントシステムが搭載されていることを特徴とする、請求項１または２に記載の文化財データのアーカイブ方法。
【請求項４】
前記情報管理サーバには、Ｗｅｂ対応地理情報システムが搭載されており、
前記Ｗｅｂ対応地理情報システムを用いて、任意の前記データベースに保管された特定の文化財に関するデータを加工して新たなデータを作成し、この新たなデータをデータベースに保管すると共に、その保管場所を示すデータを前記リレーショナルデータベースの新たなレイヤーに格納することを特徴とする、請求項１または２に記載の文化財データのアーカイブ方法。
【請求項５】
複数のデータベースに保管された特定の文化財に関するデータをリレーショナルデータベースに保管されたデータにより統合して管理するアーカイブシステムであって、
前記複数のデータベースをそれぞれ制御する、ネットワークに接続され複数のデータサーバと、
前記リレーショナルデータベースを制御する、前記ネットワークに接続された情報管理サーバとを備え、
前記リレーショナルデータベースの各レイヤーには、前記各データベースに接続されたデータサーバのアドレスと、前記各データベースにおける特定の文化財に関するデータの保管場所を示すデータが格納され、
かつ前記各レイヤーに格納されたデータは、空間上の位置を示す位置情報をキーとして相互に関連付けられていることを特徴とするアーカイブシステム。
【請求項６】
前記ネットワークを介して前記情報管理サーバにアクセスし、前記リレーショナルデータベースに保管された特定の文化財に関するデータを読み出すことが可能な複数のユーザ端末を更に備えたことを特徴とする、請求項５に記載のアーカイブシステム。
【請求項７】
ネットワークに接続された複数のデータサーバによりそれぞれ制御される複数のデータベースに保管された特定の文化財に関するデータを、リレーショナルデータベースに保管されたデータにより統合して管理する、前記ネットワークに接続された情報管理サーバであって、
前記リレーショナルデータベースの各レイヤーには、前記ネットワークに接続され、かつ前記複数のデータサーバを制御する前記各データベースに接続されたデータサーバのアドレスと、前記各データベースにおける特定の文化財に関するデータの保管場所を示すデータが格納され、
かつ前記各レイヤーに格納されたデータは、空間上の位置を示す位置情報をキーとして相互に関連付けられていることを特徴とする情報管理サーバ。
【発明の詳細な説明】
【技術分野】
【０００１】
本発明は、文化財に関する各種データをひとまとめにして保存するアーカイブ方法、ならびにこの方法を実現するアーカイブシステムおよび情報管理サーバに関する。
【背景技術】
【０００２】
文化財の研究において、例えば、壁画の剥落は、単にその場所の局所的な物理営力によって剥落しているわけではなく、壁面全体にかかる物理的背景、環境、修復過程など、様々な要因が複合的に関連して現状に至っている。
【０００３】
このような壁画に関し、撮影画像に基づく分析、蛍光Ｘ線による非破壊分析、修復の履歴調査等が行われるが、それらの結果は、分析や調査を行った研究者がそれぞれ管理しており、その情報もデジタル・アナログを含めバラバラの媒体に記録されている。
【０００４】
文化財に関しては、多様な情報を統合し、それらを分析することによって、事象の理解を支援できる。また担当の研究者にとっては不要な情報であっても、他の研究者には有用なケースがある。言い換えると、複数の情報を組み合わせることによって、文化財に関する新しい知見を創出できる可能性がある。従って、文化財の研究者が調査で得たデータは、研究者の誰もが利用できる情報として共用のデータベースに保存することが望ましい。
【０００５】
現状、特許文献１に記載されたような、文化財に関して最適な保存管理のための情報をデータベースに保存し、ユーザの要求に応じネットワークを介して提供するシステムはある。しかし、文化財に関する多様な情報を統合したデータベースは存在せず、情報の一部が論文や報告書としてデータ化されているに過ぎない。
【先行技術文献】
【特許文献】
【０００６】
【特許文献１】特開２００６−９９４２５号公報
【発明の概要】
【発明が解決しようとする課題】
【０００７】
本発明は上述の状況に鑑みてなされたもので、文化財の研究者が調査で得た各種データを統合して管理できるアーカイブ方法、アーカイブシステムおよび情報管理サーバを提供することを目的とする。
【課題を解決するための手段】
【０００８】
上記目的を達成するため、本発明にかかる文化財データのアーカイブ方法は、複数のデータベースに保管された特定の文化財に関するデータをリレーショナルデータベースに保管されたデータにより統合して管理する文化財データのアーカイブ方法であって、
前記複数のデータベースは、ネットワークに接続された複数のデータサーバによってそれぞれ制御され、かつ前記リレーショナルデータベースは、前記ネットワークに接続された情報管理サーバによって制御され、
前記リレーショナルデータベースの各レイヤーには、前記各データベースに接続されたデータサーバのアドレスと、前記各データベースにおける特定の文化財に関するデータの保管場所を示すデータが格納され、
かつ前記各レイヤーに格納されたデータは、空間上の位置を示す位置情報をキーとして相互に関連付けられていることを特徴とする。
【０００９】
ここで、前記レイヤー毎のデータを関連付ける手段として、レイヤー毎に設定された、少なくとも１つのパッチを用いることが好ましい。
【００１０】
また前記情報管理サーバには、前記リレーショナルデータベースに対するデータの書き込みおよび読み出しを制御するリレーショナルデータベースマネージメントシステムが搭載されていることが好ましい。
【００１１】
また前記情報管理サーバには、Ｗｅｂ対応地理情報システムが搭載されており、
前記Ｗｅｂ対応地理情報システムを用いて、任意の前記データベースに保管された特定の文化財に関するデータを加工して新たなデータを作成し、この新たなデータをデータベースに保管すると共に、その保管場所を示すデータを前記リレーショナルデータベースの新たなレイヤーに格納することが好ましい。
【００１２】
また本発明にかかるアーカイブシステムは、複数のデータベースに保管された特定の文化財に関するデータをリレーショナルデータベースに保管されたデータにより統合して管理するアーカイブシステムであって、
前記複数のデータベースをそれぞれ制御する、ネットワークに接続され複数のデータサーバと、
前記リレーショナルデータベースを制御する、前記ネットワークに接続された情報管理サーバとを備え、
前記リレーショナルデータベースの各レイヤーには、前記各データベースに接続されたデータサーバのアドレスと、前記各データベースにおける特定の文化財に関するデータの保管場所を示すデータが格納され、
かつ前記各レイヤーに格納されたデータは、空間上の位置を示す位置情報をキーとして相互に関連付けられていることを特徴とする。
【００１３】
ここで、前記ネットワークを介して前記情報管理サーバにアクセスし、前記リレーショナルデータベースに保管された特定の文化財に関するデータを読み出すことが可能な複数のユーザ端末を更に備えることが好ましい。
【００１４】
また本発明にかかる情報管理サーバは、ネットワークに接続された複数のデータサーバによりそれぞれ制御される複数のデータベースに保管された特定の文化財に関するデータを、リレーショナルデータベースに保管されたデータにより統合して管理する、前記ネットワークに接続された情報管理サーバであって、
前記リレーショナルデータベースの各レイヤーには、前記ネットワークに接続され、かつ前記複数のデータサーバを制御する前記各データベースに接続されたデータサーバのアドレスと、前記各データベースにおける特定の文化財に関するデータの保管場所を示すデータが格納され、
かつ前記各レイヤーに格納されたデータは、空間上の位置を示す位置情報をキーとして相互に関連付けられていることを特徴とする。
【発明の効果】
【００１５】
本発明にかかる文化財のアーカイブ方法により作成されたリレーショナルデータベースを用いれば、各レイヤーのデータを重ね合わせて表示することで、従来の単独情報の精査では獲得できない新しい知見を創出できる。またその結果として、研究者個人の暗黙知を、集団の形式知に成長させることができる。
【００１６】
更に本発明にかかる文化財のアーカイブ方法によれば、研究者は情報管理サーバにアクセスするだけで、あたかも一つのデータベースに特定の文化財に関するデータが全て保管されているような感覚で、関連するデータを閲覧できる。
【図面の簡単な説明】
【００１７】
【図１】本発明の実施の形態にかかる文化財データのアーカイブ方法を実現するアーカイブシステムの構成を示す図である。
【図２】図１の情報管理サーバのハードウェア構成の一例を示すブロック図である。
【図３】図１の情報管理サーバの機能を実現するソフトウェア構成を示す図である。
【図４】空間情報データベースを構成する各レイヤーの説明図である。
【図５】空間情報データベースを構成する各レイヤーの関連付けを行う位置情報の説明図である。
【図６】複数のレイヤーで構成された文化財データを構築する際の手順を示すフローチャートである。
【図７】研究者が情報管理サーバにアクセスして文化財データを閲覧する際の手順を示すフローチャートである。
【図８】本発明にかかる文化財データのアーカイブ方法の活用事例を説明する図である。
【図９】本発明にかかる文化財データのアーカイブ方法の活用事例を説明する図である。
【発明を実施するための形態】
【００１８】
以下、本発明の実施の形態にかかる文化財データのアーカイブ方法、ならびにその方法を実現するアーカイブシステムについて、図面を参照して説明する。
【００１９】
＜アーカイブシステムの構成＞
図１に、本発明の実施の形態１にかかる文化財データのアーカイブ方法を実現するアーカイブシステムの構成を示す。本実施の形態にかかるアーカイブシステム１
は、インターネット２に接続された情報管理サーバ３、データサーバ６ａ、６ｂ、およびユーザ端末８ａ、８ｂで構成されている。
【００２０】
そして情報管理サーバ３には空間情報データベース４と通常のデータベース５が接続され、データサーバ６ａ、６ｂにはそれぞれ通常のデータベース７ａ、７ｂが接続されている。また空間情報データベース４には、後述する位置情報データが格納され、データベース５、７ａ、７ｂには文化財に関する各種のデータが保管されている。空間情報データベース４および一般のデータベース５へのデータの書き込みおよび読み出しは情報管理サーバ３により制御され、一般のデータベース７ａ、７ｂへのデータの書き込みおよび読み出しは、それぞれデータサーバ６ａ、６ｂにより制御される。
【００２１】
図１では、インターネット２に２台のデータサーバ６ａ、６ｂ（以降、総称して「サーバ６」ともいう）と２台のユーザ端末８ａ、８ｂ（以降、総称して「ユーザ端末８」ともいう）が接続された状態を示しているが、データサーバおよびユーザ端末の台数はこれに限定されない。空間情報データベース４へのアクセスを希望する研究者が多数いる場合には、それぞれの研究者がユーザ端末８を用いて情報管理サーバ３にアクセスすればよい。
【００２２】
情報管理サーバ３は、いわゆるサーバコンピュータと同一の装置構成であり、ルータやスイッチングハブ等のネットワーク機器（図示せず）を介してインターネット２に接続されている。また情報管理サーバ３はＷｅｂサーバの機能を備えており、インターネット２に接続されたユーザ端末８ａ、８ｂに対して、それら端末上で動作するＷｅｂブラウザを介したデータの送受信が可能である。
【００２３】
データサーバ６ａ、６ｂは一般的なサーバコンピュータであり、情報管理サーバ３と同様にネットワーク機器を介してインターネット２に接続されている。データサーバ６ａ、６ｂもＷｅｂサーバの機能を備えており、情報管理サーバ３およびユーザ端末８ａ、８ｂとの間でデータの送受信が可能である。
【００２４】
ユーザ端末８ａ、８ｂはいわゆるクライアントコンピュータであり、情報管理サーバ３に対して文化財データの閲覧を要求することにより、空間情報データベース４に格納された文化財データを閲覧することができる。
【００２５】
図２に、情報管理サーバ３のハードウェア構成の一例を示す。情報管理サーバ３は、ＣＰＵ３１、主メモリ３２、ハードディスクドライブ（ＨＤＤ）３３、ＤＶＤドライブ（ＤＶＤＤ）３４、プリンタ３５、キーボード３６、マウス３７、ディスプレイ３８、ネットワークインターフェース３９およびこれらを結ぶバス３０で構成されている。
【００２６】
ＣＰＵ３１はマイクロプロセッサである。主メモリ３２には、オペレーティングシステム、ミドルウェア、通信プロトコルソフト、それらの上で動作するアプリケーションソフトおよびデータが、ＨＤＤ３３やＤＶＤＤ３４からロードされる。主メモリ３２上に構築される情報管理サーバ３のソフトウェア構成については、後に図３を参照して詳述する。
【００２７】
本実施の形態では、ＨＤＤ３３として大容量のハードディスクを備えた装置を用いており、このハードディスク内に空間情報データベース４と通常のデータベース５が併せて構築されている。
【００２８】
ＤＶＤＤ３４は、前述したプログラムやデータを外部より提供したり、逆に外部に出力するために用いられる。プリンタ３５は、情報管理サーバ３上に搭載されたアプリケーションソフトの要求に従って印刷を実行したり、画面のハードコピーを行ったりするために使用される。
【００２９】
キーボード３６、マウス３７およびディスプレイ３８は入出力装置である。ユーザはキーボード３６やマウス３７からの入力操作により、ディスプレイ３８に表示されたウインドウを操作して、各種作業を対話的に実行することができる。ネットワークインターフェース３９は、情報管理サーバ３、データサーバ６およびユーザ端末８間の相互通信をインターネット２を介して行うために使用される。
【００３０】
＜情報管理サーバと空間情報データベースにより実現される機能＞
次に、図３〜図６を参照して、情報管理サーバ３と空間情報データベース４により実現される機能について説明する。
【００３１】
図３に、情報管理サーバ３に搭載されたソフトウェア構成を示す。前述したように、このソフトウェア構成は主メモリ３２内に構築され、操作者の指示に従ってＣＰＵ３１により実行される。
【００３２】
情報管理サーバ３のソフトウェア３００は３層構造をしており、オペレーティングシステム３０１上でサーバソフトウェア３０２が動作し、更にその上でアプリケーションソフトであるＷｅｂ対応地理情報システム３０３と空間情報データベースマネジメントシステム３０４が動作する。Ｗｅｂ対応地理情報システム３０３および空間情報データベースマネジメントシステム３０４について説明する前に、本発明にかかる文化財データのアーカイブ方法の基本的な動作を説明する。
【００３３】
本発明にかかる文化財データのアーカイブ方法は、地理情報システム（Geographic Information System）用に開発されたソフトウェアを用い、ネットワーク上の複数のデータベースに保管された特定の文化財に関する様々なデータを、リレーショナルデータベースである空間情報データベースに格納された位置情報データをキーとして相互に関連付けるものである。
【００３４】
地理情報システムは、空間上の位置を示す様々な情報（地理空間情報）を電子的に処理する情報システムであり、このシステムを使うことで、地理空間情報を地図や３Ｄイメージなどの形で視覚的に表現したり、複数の種類の情報を組み合わせて高度な分析を行ったりすることができる。地理情報システムは、人工衛星や現地踏査で得られたデータを、空間、時間の両面から分析・編集することができるため、科学的調査、土地、施設や道路等の地理情報の管理、都市計画などに広く利用されている。
【００３５】
この地理情報システムを処理するためのソフトウェアとして、上述したＷｅｂ対応地理情報システム３０３および空間情報データベースマネジメントシステム３０４が開発され、使用されている。
【００３６】
Ｗｅｂ対応地理情報システム（以降「ＷＧＩＳ」という）は、地理情報システムの主要機能である地図の表示機能、図面の作成・編集機能、印刷機能等を実現するソフトウェアである。ＷＧＩＳの代表例として、オープンソースのMapServerが知られている。
【００３７】
ＷＧＩＳは、縮尺の指定、地図の移動や回転、地図の重ね合わせ、色の変更、線の太さの変更等の機能を備えている。またＷＧＩＳは、図形の作成・編集に関して、一般的な図形作成プログラムと同様に、様々なベクターデータをマウスやキーボードを用いて描いたり、ラスターデータを取り込んだりする機能を備えている。
【００３８】
一方、空間情報データベースマネジメントシステム（以降、「ＲＤＢＭＳ」という）は、地理情報システムの機能のうち属性の作成・編集機能を実現するソフトウェアである。地図中の一つの施設や建物は一つまたは複数の属性データに関連付けられることがあり、属性データはリレーショナルデータベースによって管理される。ＲＤＢＭＳの代表例としてオープンソースのPostGISが知られている。
【００３９】
本発明にかかる文化財データのアーカイブ方法では、上述したＷＧＩＳ３０３およびＲＤＢＭＳ３０４を用い、ネットワーク上に分散して配置された複数のデータベースに保管された文化財データを、リレーショナルデータベースである空間情報データベース４に格納された位置情報をキーとして関連付けた状態で管理する。
【００４０】
なお、図示しないが、情報管理サーバ３には、上述したＷＧＩＳ３０３およびＲＤＢＭＳ３０４以外に、データベース５への書き込みや読み出しを制御するデータベースマネジメントシステムや、その他のアプリケーションソフトが搭載されている。またデータサーバ６ａ、６ｂについても、データベース７ａ、７ｂへの書き込みと読み出しを制御するデータベースマネジメントシステムおよびその他のアプリケーションソフトが搭載されている。
【００４１】
次に、図４および図５を参照して、本実施の形態にかかる文化財データのアーカイブ方法について具体的に説明する。図４は、空間情報データベースを構成する各レイヤーを示し、図５はレイヤー間のデータの関連付けを行う位置情報を示している。
【００４２】
本実施の形態では、位置情報は相互に直交するＸ-Ｙ平面の座標によって表される。例えば図５（ａ）に示すように、Ｘ軸方向の最大距離をＸｍ、Ｙ軸方向の最大距離をＹｍとしたときに、Ｘｍを１万で割った値Ｘｍ／１００００をＸ軸方向の最小距離、Ｙｍを１万で割った値Ｙｍ／１００００をＹ軸方向の最小距離とすると、Ｘ−Ｙ平面の座標は、Ｘｍ／１００００およびＹｍ／１００００を整数倍した値で示される。
【００４３】
通常の地理情報システムでは、上述したＸ−Ｙ平面に地図のデータを貼り付けるが、本発明では図５（ａ）に示すように、古代遺跡の石窟を撮影した画像Ｂ１を貼り付けており、画像の各画素の位置はＸ−Ｙ座標で表わされる。以降、図５（ａ）を基本図という。なお、画像Ｂ１はデータベース５に保管されたデータを読み出したものである。
【００４４】
図５（ｂ）は、図５（ａ）の画像Ｂ１上に四角形の半透明のパッチＰ１〜Ｐ６を重ねて表示したものである。なお、実際の石窟の壁には壁画が描かれているが、図では省略している。
【００４５】
図４に示すように、本実施の形態では、石窟に関する文化財データに関連して、第１〜第４の４つのレイヤーで構成されるデータが、リレーショナルデータベースである空間情報データベース４に格納されている。図５（ｂ）に示したパッチＰ１〜Ｐ６は、図４に示した各レイヤー間の関連付けを行うために用いられ、前述のＷＧＩＳ３０３を用いて作成される。実際の画面では、色の異なる多数のパッチが重ね合わさった状態で表示されるが、図では煩雑さを避けるため、ハッチングの密度の異なる６つのパッチを表示している。
【００４６】
図４示すように、空間情報データベース４の第１レイヤーには、Ｘ−Ｙ座標によって位置が特定されるＸ−Ｙ平面に、図５（ａ）に示す石窟の画像Ｂ１が貼り付けられて基本図が作られている。
【００４７】
第２レイヤーにはパッチＰ１およびＰ２に関連したデータが格納されている。パッチＰ１とＰ２は可視光画像の撮影エリアを示しており、可視光画像のデータは、インターネットに接続されたデータベース７ａ（図１参照）に保管されている。従って、第２レイヤーには、パッチＰ１、Ｐ２の位置データ、データサーバ６ａのＩＰアドレス、およびデータベース７ａのうち可視光画像のデータが保管されたファイルの場所を示すデータが格納されている。
【００４８】
パッチＰ１、Ｐ２の位置データは、四角形のパッチの左下と右上の頂点の位置データにより特定される。具体的には、図５（ｂ）に示すように、パッチＰ１の場合、左下の頂点の座標である（Ｘ１、Ｙ１）と右上の頂点の座標である（Ｘ２、Ｙ２）の２点のデータによって特定される。他のパッチについても同様である。
【００４９】
第３レイヤーにはパッチＰ３およびＰ４に関連したデータが格納されている。パッチＰ３とＰ４は蛍光Ｘ線の撮影エリアを示しており、蛍光Ｘ線画像のデータは、可視光画像のデータと同様にデータベース７ａに保管されている。従って、第３レイヤーには、パッチＰ３、Ｐ４の位置データ、データサーバ６ａのＩＰアドレス、およびデータベース７ａのうち蛍光Ｘ線画像のデータが保管されたファイルの場所を示すデータが格納されている。
【００５０】
第４レイヤーにはパッチＰ５およびＰ６に関連したデータが格納されている。パッチＰ４とＰ５は壁画の修復箇所を示しており、修復に関する具体的なデータ（例えば、修復した時期、修復方法、担当者の氏名等）は、インターネットに接続されたデータベース７ｂに保管されている。従って、第４レイヤーには、パッチＰ５、Ｐ６の位置データ、データサーバ６ｂのＩＰアドレス、およびデータベース７ｂのうち修復に関するデータが保管されたファイルの場所を示すデータが格納されている。
【００５１】
次に、図６を参照して、図４に示した４つのレイヤーで構成された石窟に関する文化財データを構築する際の処理手順について説明する。図５（ａ）に示した石窟に関する各種データは、インターネット２に接続されたデータベース７ａ、７ｂに分散した状態で保管されている。具体的には、データサーバ６ａに接続されたデータベース７ａには、石窟の可視光画像および蛍光Ｘ線画像のデータが格納されている。またデータサーバ６ｂに接続されたデータベース７ｂには、壁画の修復に関するデータが格納されている。
【００５２】
最初に、文化財情報の管理者は、図５（ａ）に示した石窟に関するデータを収集する（ステップＳ１）。具体的には、管理者は、研究者間の情報に基づいてデータベース７ａに可視光画像および蛍光Ｘ線画像のデータが保存され、またデータベース７ｂに壁画の修復に関するデータが保存されていることを確認する。
【００５３】
管理者はその後、情報管理サーバ３を操作して、確認した石窟に関するデータを含むファイルが保管されているデータベース７ａ、７ｂの場所を、データサーバ６ａ、６ｂのＩＰアドレスと共に、データベース５に一時的に保管する（ステップＳ２）。
【００５４】
次に管理者は、図５（ａ）に示す壁画の画像データＢ１をデータベース５から読み出し、そのデータを第１レイヤーのＸ−Ｙ座標に貼り付けて基本図を作成する（ステップＳ３）。
【００５５】
次に管理者は、予め収集した石窟に関する各種データを、第１レイヤーの基本図と関連付けるため、パッチを設定する（ステップＳ４）。具体的には、情報管理サーバ３のディスプレイ３８の画面に図５（ａ）に示す画像を表示した後、前述のＷＧＩＳ３０３を起動し、マウス３７を操作して可視光画像の撮影エリアに対応した位置にパッチＰ１、Ｐ２を設定する。次に、前述のＲＤＢＭＳ３０４を起動して、可視光画像のファイルが保管されているデータベース７ａの保管場所を、パッチＰ１、Ｐ２の位置情報と共に空間情報データベース４に格納する。
【００５６】
パッチＰ３〜Ｐ６についても同様の処理を行い、パッチの位置情報をキーとして、データベース７に保管された各種データの関連付けを行い、作成された第３レイヤーおよび第４レイヤーのデータを空間情報データベース４に格納する。このようにして、石窟に関する各種データが関連付けられた状態で空間情報データベース４に格納される。
【００５７】
次に、図７のフローチャートに基づき、研究者が情報管理サーバ３にアクセスして、石窟に関する文化財データを閲覧する際の手順について説明する。図７は、情報管理サーバ３、ユーザ端末８ａおよびデータサーバ６ａ間で行われるデータの授受を時系列で示したもので、縦方向は時間の経過を示す。
【００５８】
文化財データの閲覧を希望する研究者は、あらかじめユーザ端末８ａ、８ｂを用いて情報管理サーバ３にユーザ登録をしておく必要がある。ユーザ登録の方法は周知であるため、ここでは説明を省略する。研究者は情報管理サーバ３に登録することにより、ユーザＩＤ取得し、またパスワードを設定する。
【００５９】
石窟に関する文化財データを閲覧したい研究者は、ユーザ端末８ａを操作して情報管理サーバ３にアクセスし、石窟に関するデータの閲覧を要求する（ステップＳ２１）。この際、研究者はディスプレイに表示された認証画面にユーザＩＤとパスワードを入力して認証の手続を行い、その手続を終了した後に、次の手続に進む。
【００６０】
ユーザ端末８ａ、８ｂから閲覧の要求を受けた情報管理サーバ３は、空間情報データベース４から石窟に関するデータを読み出す（ステップＳ２２）。読み出した情報には、レイヤー毎に設定されたパッチの位置情報、このパッチに関連付けられたデータサーバのＩＰアドレスとファイルが保管されたデータベースの場所を示すデータが含まれる。
【００６１】
情報管理サーバ３は、空間情報データベース４から読み出した情報のうち、基本図に関するデータ、すなわち図５（ａ）に示すＸ−Ｙ座標に貼り付けられた石窟の画像データをユーザ端末に送付する（ステップＳ２３）。送付された基本図のデータはユーザ端末７ａのディスプレイに表示される（ステップＳ２４）。
【００６２】
研究者が石窟の蛍光Ｘ線画像を見たい場合、研究者はユーザ端末８ａのキーボードやマウスを操作して、情報管理サーバ３の蛍光Ｘ線画像データを要求する（ステップＳ２５）。蛍光Ｘ線画像データの要求信号を受け取った情報管理サーバ３は、蛍光Ｘ線画像に関する第２レイヤーのデータをユーザ端末に送付する（ステップＳ２６）。第２レイヤーのデータには、蛍光Ｘ線画像の撮影エリアを示すパッチＰ１、Ｐ２の位置情報、蛍光Ｘ線画像のファイルが保管されているデータサーバ６ａのＩＰアドレスおよびデータベース７ａの保管場所の情報が含まれる。
【００６３】
蛍光Ｘ線画像に関する第２レイヤーのデータを受け取った情報管理サーバ３は、
ディスプレイに表示された石窟の画像Ｂ１に半透明のパッチＰ１とＰ２を重ねて表示する（ステップＳ２７、図５（ｂ）参照）。
【００６４】
パッチＰ１、Ｐ２の位置情報は、蛍光Ｘ線画像が保管されているデータサーバ６ａの保管場所の情報とリンクしているため、研究者がマウスを用いてポインタを移動させ、パッチＰ１に合わせた状態でクリックすると（ステップＳ２８）、ユーザ端末８ａからデータサーバ６ａに蛍光Ｘ線画像データを要求する信号が送付される（ステップＳ２９）。
【００６５】
蛍光Ｘ線画像データの要求信号を受信したデータサーバ６ａは、指示されたデータベース７ａの保管場所から蛍光Ｘ線画像データを読み出し（ステップＳ３０）、ユーザ端末８ａに送付する（ステップＳ３１）。ユーザ端末８ａは、受信した蛍光Ｘ線画像データをディスプレイの画面全体に表示する（ステップＳ３２）。
【００６６】
上述の各ステップのうち、ステップＳ２９とＳ３２は、ユーザ端末７ａに搭載されたＷｅｂブラウザにより自動的に処理され、またステップＳ３０とＳ３１はデータサーバ６ａに搭載されたサーバソフトウェアにより自動的に処理される。その結果、研究者がマウスを用いてポインタでパッチＰ１をクリックすると、該当するエリアのＸ線画像がディスプレイの画面に表示される
【００６７】
このように本発明にかかるアーカイブ方法によって文化財データを管理すれば、関連するデータが複数のデータサーバに分散した状態で保管されていても、研究者は、基本図に重ねて表示されたパッチにポインタを合わせ、マウスでクリックすれば、あたかも特定の文化財に関するデータが一つのデータベースに全て保管されているような感覚で、必要なデータをディスプレイの画面に読み出すことができる。
【００６８】
＜本発明にかかるアーカイブ方法の活用事例＞
次に、本発明にかかるアーカイブ方法を活用して文化財の研究を行った事例について説明する。図８を参照して、本発明にかかるアーカイブ方法を、壁画のひび割れの分析に適用した第１の事例について説明する。
【００６９】
図８（ａ）は、前述の図５（ａ）に示した石窟の画像Ｂ１を示し、図中Ｃは壁や天井にできたひび割れを示している。図５（ａ）で説明したときと同様に、この画像Ｂ１にはＸ−Ｙ座標で表される位置情報が付与されている。
【００７０】
図８（ｂ）は、石窟内の湿度の測定結果を視覚的に表示したもので、ドットの密度の異なる枠は、床面からの高さ毎の湿度を示している。石窟内の湿度を床面からの高さ毎に測定したデータは、例えばデータベース７ｂに保管されている。
【００７１】
研究者は情報管理データ３を操作して、データベース７ｂから湿度の測定データを読み出し、データベース５に一時的に格納する。次に研究者は、ＷＧＩＳ３０３を起動して、図８（ｂ）に示すように湿度の値毎に四角形の枠を作成すると共に、枠内のドット密度や色を湿度の値に応じて変えて、図に示すような画像を作成し、そのデータをデータベース５に保管する。
【００７２】
次に研究者は、ＷＧＩＳ３０３を起動して、図８（ａ）に示す基本図にパッチＰ７を設定し、更にＲＤＢＭＳ３０４を起動して、パッチＰ７と図８（ｂ）に示す画像データとの関連付けを行う。その結果、石窟に関する第５レイヤーのデータとして、空間情報データベース４に、パッチＰ７の位置情報、データベース５に保管された画像データのファイルの保管場所を示すデータおよびデータベース７ｂに保管されている湿度の測定データのファイルの保管場所を示すデータが格納される。
【００７３】
研究者が石窟における湿度の測定結果を閲覧したい場合、前述の図７に示した手順に従って情報管理サーバ３にアクセスし、湿度に関するデータを要求する。情報管理サーバ３は研究者の要求に従ってデータベース５から図８（ｂ）に示す画像データを読み出し、図８（ａ）に示す基本図に重ねて表示する。図８（ｃ）に、図８（ｂ）の画像データが図８（ａ）の基本図に重ねて表示された状態を示す。
【００７４】
図８（ｃ）の画像を分析することによって、研究者は、石窟内の湿度と壁にできたひび割れとの関係について、視覚による分析を行うことができる。基礎となる湿度の測定データの保管場所についても、第５レイヤーのデータとして空間情報データベース４に格納されているため、必要であれば、研究者はデータベース７ｂから湿度の測定データを読み出してディスプレイに表示することができる。
【００７５】
次に、図９を参照して、本発明にかかるアーカイブ方法を、壁画の顔料分析に適用した第２の事例について説明する。
【００７６】
図９（ａ）は、前述の図５（ａ）に示した石窟の画像Ｂ１の一部を拡大して示した画像Ｂ２であり、Ｐ８は壁面に設定されたパッチである。このパッチＰ８によって石窟に関する文化財データの第６レイヤーが構成される。
【００７７】
図９（ｂ）に示した画像Ｈは、パッチＰ８のエリアに含まれる壁画の顔料の分析結果を示したものである。顔料の分析方法について簡単に説明する。最初に、画像の色を三原色に分解し、その成分比率から特定の色の部分を抽出する。次に抽出した色の分布の偏りを求め、それを等高線で表す。図９（ｂ）の画像Ｈは特定の色の偏りを等高線で表している。
【００７８】
研究者は、例えばデータベース７ｂからパッチＰ８部分の詳細なカラー画像のデータを読み出し、データベース６に搭載された専用のソフトウェアを用いて等高線図Ｈを作成し、そのデータをデータベース７ｂに保管する。
【００７９】
情報管理サーバ３の管理者は、図６に示した手順に従い、ＷＧＩＳ３０３を起動して図９（ａ）に示す画像Ｂ２にパッチＰ８を設定すると共に、ＲＤＢＭＳ３０４を起動して図９（ｂ）に示す等高線図Ｈと画像データとの関連付けを行う。
【００８０】
図９（ｃ）は、図９（ｂ）に示した等高線図Ｈを元の画像の位置に重ねて表示した画像である。情報管理サーバ３にアクセスした研究者は、図９（ｃ）の画像から、壁画にどのような顔料がどのような態様で使用されたかを確認できる。この結果は、壁画を修復する際に使用する顔料の種類や塗布の方法等について、貴重な情報を提供することになる。
【００８１】
以上説明したように、本発明のアーカイブ方法によって、文化財データをリレーショナルデータベースである空間情報データベースに格納すれば、ディスプレイの画面に、インターネット上に分散して配置されたデータベースに保管された関連するデータを重ね合わせて表示できるため、従来の単独情報の精査では獲得できない新しい知見を創出できる。
【００８２】
なお、上述した実施の形態では、位置情報としてＸ−Ｙ座標で表される二次元の位置情報を用いたが、この代わりに、Ｘ−Ｙ−Ｚの座標で表される三次元の空間位置を示す情報を用いても、同様の効果が得られる。
【００８３】
また上述した実施の形態では、パッチの形状として２点で特定される四角形を用いたが、これに限定されない。データ量が若干増えるが、円や多角形のパッチを用いてもよい。
【００８４】
また上述した実施の形態では、インテーネットを用いたアーカイブシステムについて説明したが、ＬＡＮやＷＡＮを用いてネットワークが構成されたシステムであっても同様の効果が得られることは云うまでもない。
【符号の説明】
【００８５】
１  アーカイブシステム
２  インターネット
３  情報管理サーバ
４  空間情報データベース
５、７ａ、７ｂ  データベース
６ａ、６ｂ  データサーバ
８ａ、８ｂ  ユーザ端末
３００  ソフトウェア構成図
３０３  ＷＧＩＳ
３０４  ＲＤＢＭＳ
Ｂ１  基本図
Ｂ２  拡大画像
Ｃ  ひび割れ
Ｐ１〜Ｐ８  パッチ
Ｈ  等高線図
【図１】
2014096084.tif 000003
【図２】
2014096084.tif 000004
【図３】
2014096084.tif 000005
【図４】
2014096084.tif 000006
【図５】
2014096084.tif 000007
【図６】
2014096084.tif 000008
【図７】
2014096084.tif 000009
【図８】
2014096084.tif 000010
【図９】
2014096084.tif 000011